(57)【要約】【課題】筆記具を安定的に保持することができる保持具を提供する。【解決手段】保持具は、筆記具が挿入される孔を有する基台と、前記孔から上方に延び、挿入された前記筆記具を保持するための複数の保持板と、該保持板の上下方向中途部に形成され、前記基台に回転可能に取り付けられた、上下方向に交差する方向に延びる枢軸とを備え、前記複数の保持板は前記孔の周方向に並んでおり、前記筆記具の未挿入時に、隣り合う一方の前記保持板の下部における前記周方向の一端部は、前記孔の径方向において、隣り合う他方の前記保持板の外側に配置される。【選択図】図１
2020163612.tif 000002
【特許請求の範囲】
【請求項１】
筆記具が挿入される孔を有する基台と、
前記孔から上方に延び、挿入された前記筆記具を保持するための複数の保持板と、
該保持板の上下方向中途部に形成され、前記基台に回転可能に取り付けられた、上下方向に交差する方向に延びる枢軸と
を備え、
前記複数の保持板は前記孔の周方向に並んでおり、
前記筆記具の未挿入時に、隣り合う一方の前記保持板の下部における前記周方向の一端部は、前記孔の径方向において、隣り合う他方の前記保持板の外側に配置される
保持具。
【請求項２】
隣り合う一方の前記保持板の上部における前記周方向の一端部は、前記径方向において、隣り合う他方の前記保持板の内側に配置される
請求項１に記載の保持具。
【請求項３】
前記保持板は、
平面視Ｕ状をなし、前記枢軸の上側に位置する上板部と、
前記枢軸の下側に位置し、前記上板部から前記周方向の一方に突出した下板部と
を有し、
前記上板部は、前記周方向の他方に突出した突出部分を有する
請求項１又は２に記載の保持具。
【発明の詳細な説明】
【技術分野】
【０００１】
本技術は、筆記具、例えばペンを保持する保持具に関する。
【背景技術】
【０００２】
従来、ペンを挿入するホルダ本体と、該ホルダ本体の内側に配置された側面視Ｌ形の板材とを備えるペンホルダが開示されている。板材は、Ｌ形の角部分に配置された枢軸と、該枢軸の上側に配置された押圧片と、枢軸の下側に配置された受圧片とを有する。
【０００３】
ペンをホルダ本体に挿入した場合、受圧片はペンに押され、枢軸回りに押圧片は回転し、押圧片と、ホルダ本体の内壁との間にペンが挟まれ、保持される。
【先行技術文献】
【特許文献】
【０００４】
【特許文献１】特開２００３−２４６１８７号公報
【発明の概要】
【発明が解決しようとする課題】
【０００５】
ペンホルダにおいては、押圧片の上端部のみがペンに接触し、ペンの安定的な保持ができないおそれがある。
【０００６】
本開示は斯かる事情に鑑みてなされたものであり、筆記具を安定的に保持することができる保持具を提供することを目的とする。
【課題を解決するための手段】
【０００７】
本開示に係る保持具は、筆記具が挿入される孔を有する基台と、前記孔から上方に延び、挿入された前記筆記具を保持するための複数の保持板と、該保持板の上下方向中途部に形成され、前記基台に回転可能に取り付けられた、上下方向に交差する方向に延びる枢軸とを備え、前記複数の保持板は前記孔の周方向に並んでおり、前記筆記具の未挿入時に、隣り合う一方の前記保持板の下部における前記周方向の一端部は、前記孔の径方向において、隣り合う他方の前記保持板の外側に配置される。
【０００８】
本開示に係る保持具においては、筆記具の未挿入時に、一方の保持板の下部が、隣り合う他方の保持板の下側に配置されている。筆記具を挿入した場合、筆記具は前記一方の保持板を押し、更に、前記一方の保持板は前記他方の保持板を押す。
【０００９】
本開示に係る保持具は、隣り合う一方の前記保持板の上部における前記周方向の一端部は、前記径方向において、隣り合う他方の前記保持板の内側に配置される。
【００１０】
本開示に係る保持具においては、隣り合う一方の前記保持板の上部における前記周方向の一端部は、前記径方向において、隣り合う他方の前記保持板の内側に配置される。そのため、各保持板が連動して閉じる場合に、各保持板の干渉を防止できる。
【００１１】
本開示に係る保持具は、前記保持板は、平面視Ｕ状をなし、前記枢軸の上側に位置する上板部と、前記枢軸の下側に位置し、前記上板部から前記周方向の一方に突出した下板部とを有し、前記上板部は、前記周方向の他方に突出した突出部分を有する。
【００１２】
本開示に係る保持具においては、突出部分によって、各保持板の上板部同士の間に隙間が発生することを防止し、筆記具が保持具から外れることを防止できる。
【発明の効果】
【００１３】
本開示に係る保持具にあっては、筆記具の未挿入時に、一方の保持板の下部が、隣り合う他方の保持板の下側に配置されている。筆記具を挿入した場合、筆記具は前記一方の保持板を押し、更に、前記一方の保持板は前記他方の保持板を押す。そのため、複数の保持板は、少なくともいずれか一つの保持板が押された場合、全ての保持板が押され、回転し、筆記具に接近して、筆記具を安定的に保持することができる。
【図面の簡単な説明】
【００１４】
【図１】開いた状態の保持具を示す斜視図である。
【図２】図４のＩＩ―ＩＩ線を切断線とした基台の分解断面図である。
【図３】図４のＩＩＩ―ＩＩＩ線を切断線とした中筒の縦断面図である。
【図４】中筒の平面図である。
【図５】保持板の正面図である。
【図６】図５に示すＶＩ−ＶＩ線を切断線とした断面図である。
【図７】保持板の平面図である。
【図８】保持具の縦断面図である。
【図９】開いた状態の保持具を示す平面図である。
【図１０】筆記具を保持する閉じた状態の保持具を示す斜視図である。
【発明を実施するための形態】
【００１５】
以下本発明を、実施の形態に係る保持具１を示す図面に基づいて、説明する。以下の説明では図に示す上下を使用する。図１は、開いた状態の保持具１を示す斜視図、図２は、図４のＩＩ―ＩＩ線を切断線とした基台２の分解断面図である。図１に示すように、保持具１は、基台２と、複数（本実施形態においては三つ）の保持板６とを備える。
【００１６】
図２に示すように、基台２は、底部３と、中筒４と、上部５とを備える。底部３は平面視円形状をなす。底部３の中心付近に、下方に窪んだ凹部３ａが形成されている。凹部３ａの周囲に複数の嵌合凹部３ｂが周方向に並設されている。底部３の周縁部に、上下に貫通したねじ挿入孔３ｃが周方向に複数並設されている。凹部３ａには後述する逆円錐筒部８ａの先端部が挿入される。嵌合凹部３ｂには後述する嵌合凸部８ｇが嵌合する。
【００１７】
図３は、図４のＩＩＩ―ＩＩＩ線を切断線とした中筒４の縦断面図であり、図４は、中筒４の平面図である。なお図３の断面位置は図２の断面位置とは異なる。中筒４は円錐台状をなし、中筒４の上縁内周全体から環状天部４ａが突出している。環状天部４ａの上面には、三つの下溝４ｂが形成されている。三つの下溝４ｂは、中筒４の周方向に並んでいる。上下方向に直交する方向に下溝４ｂは延びる。下溝４ｂは、下溝４ｂの長手方向中途部が環状天部４ａの内周によって分断されるように、形成されている。環状天部４ａの内周面には、径方向内向きに突出した複数の爪受４ｈが周方向に並設されている。
【００１８】
三つの取付溝４ｃが環状天部４ａに形成されている。取付溝４ｃは下溝４ｂに平行であり、中筒４の径方向において、下溝４ｂよりも外側に配置されている。取付溝４ｃには、ばね４ｄが取り付けられる。ばね４ｄは、線材の中央部を、線材に直角な方向に突出させるように折り曲げて形成されている。ばね４ｄの非突出部分は取付溝４ｃに嵌まり、ばね４ｄの突出部分は、分断された下溝４ｂの中途部に形成された空間を通って、中筒４の内側に向けて突出している。取付溝４ｃの両端部には上下に貫通した孔４ｇが形成されている。ばね４ｄの両端部４ｆは屈曲しており、孔４ｇにそれぞれ挿入されている。中筒４の下端部に複数のタッピング孔４ｅが周方向に並設されている。各タッピング孔４ｅは、各ねじ挿入孔３ｃに対応した位置に配されている。
【００１９】
上部５は円環状をなし、上部５の内側に、筆記具２０を挿入する挿入孔５ａが形成される。上部５の下面において、三つの下溝４ｂに対応した位置に三つの上溝５ｂが形成されている。上部５の下面において、三つの収容室５ｃが形成されている。収容室５ｃは、上部５の径方向において、上溝５ｂの外側に配置されている。上溝５ｂ及び下溝４ｂには、後述の枢軸６ｃが回転可能に嵌合し、収容室５ｃには、後述の抜け止め６ｆが収容される。挿入孔５ａの内周面に、下方に突出した複数の爪５ｄが周方向に並設されている。爪５ｄの周方向位置は爪受４ｈの位置に対応する。
【００２０】
中筒４の内側に錘押さえ８が設けられている。錘押さえ８は、下側が尖った逆円錐筒部８ａと、該逆円錐筒部８ａの外周面から下方に向けて突出した筒部８ｄと、逆円錐筒部８ａの上縁部から径方向外向きに突出したフランジ８ｃと、フランジ８ｃから下向きに突出した複数の押さえ部８ｆとを備える。フランジ８ｃ及び押さえ部８ｆは連結部８ｅを介して、環状天部４ａに一体に連結されている。即ち、中筒４及び錘押さえ８は一体化している。逆円錐筒部８ａの下端部には、筆記具２０の先端との干渉を回避する為に、貫通孔８ｂが設けられている。筒部８ｄの下端部に、下方に突出した複数の嵌合凸部８ｇが形成されている。筒部８ｄは、リング状の複数の錘７の貫通孔に挿入される（図８参照）。即ち、筒部８ｄは錘７を案内する。なお、図２には、代表的に一つの錘７のみ記載されている。
【００２１】
図５は、保持板６の正面図、図６は、図５に示すＶＩ−ＶＩ線を切断線とした断面図、図７は、保持板６の平面図である。保持板６は、上下に延びる上板部６ａと、該上板部６ａの下端から突出した下板部６ｂと、枢軸６ｃとを備える。枢軸６ｃは、上板部６ａと下板部６ｂとの境界に位置する。即ち、上板部６ａは枢軸６ｃよりも上側に配置され、下板部６ｂは枢軸６ｃよりも下側に配置される。
【００２２】
図７に示すように、上板部６ａは平面視Ｕ形状をなし、Ｕ形状の一端側は他端側よりも、挿入孔５ａの周方向に突出している。以下、上板部６ａにおける前記一端側の部分を突出部分６ｅと称する。図５に示すように、突出部分６ｅは、前記周方向における端部を頂点とした正面視三角形状をなす。突出部分６ｅの前記頂部（図５の右端部）の上下位置は、上板部６ａの上端よりも下側に位置し、突出部分６ｅの上端面は下降傾斜している。また、上板部６ａにおける突出部分６ｅの反対側の端部（図５の左端部）の上下位置は、前記頂部と上板部６ａの上端との間に位置し、上板部６ａの上端面は、突出部分６ｅの反対側において、下降傾斜している。上板部６ａの横幅は、下方に向かうに従って徐々に短くなる。
【００２３】
上板部６ａの内面に、上下方向に延びた突条６ｄが形成されている。突条６ｄは、Ｕ形状の他端側（突出部分６ｅの反対側）であって、Ｕ形状の底部分に配置されている。枢軸６ｃは上下方向に直交する方向を軸方向とし、Ｕ形状の頂点に接する接線の如く、上板部６ａの外面に形成されている。枢軸６ｃには、抜け止め６ｆが設けられている。抜け止め６ｆは、枢軸６ｃから上板部６ａの反対側に突出する。抜け止め６ｆの突出端部は上方に向けて曲がっている。
【００２４】
図５及び図７に示すように、下板部６ｂは、突出部分６ｅとは反対側、即ち前記Ｕ形状の他端側且つ下方に向けて斜めに突出している。下板部６ｂは、螺旋状に捻った形状を有する。下板部６ｂは上板部６ａの下端部に連なり、上板部６ａの下端部と略同じ横幅で突出する。
【００２５】
図８は、保持具１の縦断面図である。なお図８は、三つの保持板６の内、一つの保持板６のみ示す。図８において、実線の保持板６及びばね４ｄは開いた状態を示し、二点鎖線の保持板６及びばね４ｄは閉じた状態を示す。
【００２６】
図８に示すように、逆円錐筒部８ａの先端部は凹部３ａの内側に配置される。複数の押さえ部８ｆは錘７の上側に配置され、錘７を押さえる。複数の錘７は、押さえ部８ｆと底部３との間に狭持され、安定的に保持される。
【００２７】
図８に示すように、底部３は下方から中筒４に取り付けられ、上部５は中筒４の上端部に取り付けられる。上部５の爪５ｄは環状天部４ａの爪受４ｈに係止する。ねじ挿入孔３ｃにねじ５０が挿入され、ねじ５０はタッピング孔４ｅに締結される。上部５の挿入孔５ａ、並びに中筒４及び逆円錐筒部８ａの内側空間は連なっている。各保持板６の枢軸６ｃは上部５及び中筒４の間に挟まれ、下溝４ｂ及び上溝５ｂに回転可能に嵌合する。取付溝４ｃに取り付けられたばね４ｄによって、下板部６ｂは上方に付勢され、中筒４の径方向において、各保持板６は外側に開く。
【００２８】
図９は、開いた状態の保持具１を示す平面図である。以下の説明では、三つの保持板６を、それぞれ第１保持板６１、第２保持板６２及び第３保持板６３とも称する。図９に示すように、第１保持板６１〜第３保持板６３は挿入孔５ａの周方向に並んでいる。第１保持板６１の下端部は第２保持板６２の下板部６ｂの裏側に配置され、第２保持板６２の下端部は第３保持板６３の下板部６ｂの裏側に配置され、第３保持板６３の下端部は第１保持板６１の下板部６ｂの裏側に配置されている。なお裏側は、挿入孔５ａの径方向における外側に対応する。
【００２９】
第１保持板６１の上板部６ａにおける端部（突出部分６ｅの反対側の端部。以下、第２保持板６２及び第３保持板６３について同じ。）は、第２保持板６２の突出部分６ｅの表側に配置され、第２保持板６２の上板部６ａにおける端部は、第３保持板６３の突出部分６ｅの表側に配置され、第３保持板６３の上板部６ａにおける端部は、第１保持板６１の突出部分６ｅの表側に配置されている。なお表側は、挿入孔５ａの径方向における内側に対応する。
【００３０】
図１０は、筆記具２０を保持する閉じた状態の保持具１を示す斜視図である。図１０に示すように、筆記具２０、例えばペンを上方から保持具１に挿入した場合、筆記具２０は、第１保持板６１〜第３保持板６３の下板部６ｂを押し、図８の二点鎖線の保持板６によって示されるように、第１保持板６１〜第３保持板６３は連動して、ばね４ｄの付勢力に抗して枢軸６ｃ回りに回転し、各上板部６ａは筆記具２０に接近し、筆記具２０を包み込むように、保持する。このとき、突条６ｄは筆記具２０の周囲に配置され、筆記具２０は突条６ｄによって係止され、より安定的に保持される。
【００３１】
上述したように、第１保持板６１〜第３保持板６３の下板部６ｂが、前記周方向に沿って、順に重なるように配置されているので、第１保持板６１〜第３保持板６３のいずれかを筆記具２０が押した場合、例えば、第１保持板６１を押した場合、押された第１保持板６１部は第３保持板６３を押し、押された第３保持板６３は第２保持板６２を押すので、第１保持板６１〜第３保持板６３の全てが押され、第１保持板６１〜第３保持板６３の全てが連動して閉じる。そのため、例えば、斜め上方向から筆記具２０が保持具１に挿入され、第１保持板６１〜第３保持板６３のいずれかのみを押す場合でも、第１保持板６１〜第３保持板６３の全てが連動して閉じ、筆記具２０に接近し、筆記具２０を安定的に保持する。また第１保持板６１〜第３保持板６３が連動して閉じる場合に、第１保持板６１〜第３保持板６３の下板部６ｂ同士が干渉することを防止することができる。
【００３２】
上述したように、第１保持板６１の上板部６ａにおける端部は、第２保持板６２の突出部分６ｅの表側に配置され、第２保持板６２の上板部６ａにおける端部は、第３保持板６３の突出部分６ｅの表側に配置され、第３保持板６３の上板部６ａにおける端部は、第１保持板６１の突出部分６ｅの表側に配置されている。そのため、第１保持板６１〜第３保持板６３が連動して閉じる場合に、第１保持板６１〜第３保持板６３の上板部６ａ同士が干渉することを防止することができる。
【００３３】
第１保持板６１〜第３保持板６３の突出部分６ｅによって、第１保持板６１〜第３保持板６３の上板部６ａ同士の間に隙間が発生することを防止し、筆記具２０が保持具１から外れることを防止することができる。
【００３４】
第１保持板６１の突出部分６ｅは第３保持板６３の裏側に配置され、第２保持板６２の突出部分６ｅは第１保持板６１の裏側に配置され、第３保持板６３の突出部分６ｅは第２保持板６２の裏側に配置される。そのため、第１保持板６１〜第３保持板６３が連動して閉じる場合に、突出部分６ｅが隣の保持板６に干渉することを防止することができる。
【００３５】
上述の実施の形態においては、上板部６ａは平面視Ｕ形状をなすところ、Ｕ形状には、曲面的な形状、例えば「つ」形状のみならず、角のある形状も含まれ、例えば「コ」又は「ク」形状も含まれる。
【００３６】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００３７】
１  保持具
２  基台
３  底部
４  中筒
５  上部
５ａ  挿入孔（孔）
６  保持板
６ｃ  枢軸
６ａ  上板部
６ｂ  下板部
６ｅ  突出部分
２０  筆記具
【図１】
2020163612.tif 000003
【図２】
2020163612.tif 000004
【図３】
2020163612.tif 000005
【図４】
2020163612.tif 000006
【図５】
2020163612.tif 000007
【図６】
2020163612.tif 000008
【図７】
2020163612.tif 000009
【図８】
2020163612.tif 000010
【図９】
2020163612.tif 000011
【図１０】
2020163612.tif 000012